(57)【要約】【課題】迅速且つ便利に組み付けられることができ、強固な構造を有するパレットアセンブリを提供すること。【解決手段】複数の支持枕木と複数の頂部デッキパネルとを有する。支持枕木は、間隔を置いて配置され、互いに平行であり、各支持枕木は、複数の頂部取付孔を有する。頂部取付孔は、支持枕木の頂部に形成される。頂部デッキパネルは、支持枕木の頂部上に取り付けられ、支持枕木に対して垂直であり、且つ各頂部デッキパネルは、複数の取付ピンを有する。取付ピンは、頂部デッキパネルの底部から下方に突出し、且つ夫々頂部取付孔内に確実に取り付けられる。頂部デッキパネルは、支持枕木と迅速に組み付けられ、支持枕木に対して滑ることから保護され、それによって、パレットアセンブリの構造が強固である。【選択図】図１
0003132626.tif 000002
【実用新案登録請求の範囲】
【請求項１】
パレットアセンブリであって、
間隔を置いて互いに平行に配置された複数の支持枕木を備え、
各支持枕木は、頂部と、底部と、二つの側部と、二つの端部を有するとともに、支持枕木の頂部に形成された複数の頂部取付孔を有し、各頂部取付孔は、直径を有し、
長尺状で、支持枕木の頂部に取り付けられ、支持枕木に対して垂直であり、且つ互いに平行である複数の頂部デッキパネルを備え、
各頂部デッキパネルは、底部と、頂部デッキパネルの底部から下方に突出し、夫々、支持枕木の頂部の対応する頂部取付孔に確実に取り付けられた複数の取付ピンを備え、
各取付ピンは外壁を有する、
パレットアセンブリ。
【請求項２】
各支持枕木は、更に支持枕木の底部に形成された複数の底部取付孔を有し、各底部取付孔は、直径を有し、パレットアセンブリは、更に、長尺状で、支持枕木の底部に取り付けられ、支持枕木に対して垂直であり、互いに平行である複数の底部デッキパネルを備え、各底部デッキパネルは、頂部と、底部デッキパネルの頂部から上方に突出し、夫々、支持枕木の底部の対応する底部取付孔に確実に取り付けられる複数の取付ピンを有する、請求項１に記載のパレットアセンブリ。
【請求項３】
各支持枕木の底部取付孔は、複数の特徴的な底部取付孔を含み、各底部デッキパネルは、更に、底部デッキパネルを貫通するように形成され、支持枕木の底部の対応する底部取付孔に含まれる対応する特徴的な底部取付孔と一列となる複数の位置決め孔を有し、各底部デッキパネルの取付ピンは、底部デッキパネルの位置決め孔を貫通して夫々取り付けられ且つ支持枕木の対応する特徴的な底部取付孔と一列となる複数の特徴的な位置決めピンを含み、各特徴的な位置決めピンは、底部デッキパネルの頂部から上方に突出し且つ対応する特徴的な底部取付孔内に延出する頂部端と、底部デッキパネルの底部と同一平面となる底部表面と、  特徴的な取付ピンの底部表面上に形成され且つそれから突出する複数の横滑り防止突起を有する、請求項２に記載のパレットアセンブリ。
【請求項４】
頂部デッキパネルの各取付ピンは、更に、取付ピンの外壁上に形成され且つそこから突出し、対応する頂部取付孔の直径よりも僅かに大きい直径を有して頂部取付孔内に強制的に押し込まれ、底部デッキパネルの各取付ピンは、更に、取付ピンの外壁上に形成され且つそこから突出し、対応する底部取付孔の直径よりも僅かに大きい直径を有して底部取付穴内に強制的に押し込まれる、請求項３に記載のパレットアセンブリ。
【請求項５】
頂部デッキパネルの各取付ピンは、更に、取付ピンの外壁を貫通するように長手方向に形成された切込みスロットと、底部デッキパネルの各取付ピンは、更に、取付ピンの外壁を貫通するように長手方向に形成された切込みスロットを有する、請求項４に記載のパレットアセンブリ。
【請求項６】
各支持枕木は、更に、支持枕木の前記二つの端部の近くに夫々形成された二つのフック切り欠きアセンブリを有し、各支持枕木は、支持枕木の前記二つの側部に形成され互いに反対側にある二つのフック切り欠きを有する、請求項１に記載のパレットアセンブリ。
【請求項７】
各フック切り欠きは、楔形状である、請求項６に記載のパレットアセンブリ。
【考案の詳細な説明】
【技術分野】
【０００１】
本考案は、パレットアセンブリに関し、より具体的には、迅速且つ便利に組み付けられることができ、強固な構造を有するパレットアセンブリに関する。
【背景技術】
【０００２】
図６及び図７を更に参照すると、従来のパレットアセンブリは、複数の支持枕木（７０）と複数のデッキパネルアセンブリ（８０）とを有する。支持枕木（７０）は、間隔を置いて配置され、互いに平行であり、各枕木は、蟻継ぎ状頂部端（７１）と蟻継ぎ状の底部端（７２）を有する。デッキパネルアセンブリ（８０）は、間隔を置いて支持枕木（７０）上に取り付けら、互いに平行であり、各デッキパネルアセンブリは、複数のコネクタ（８１）とデッキパネル（８２）とを有する。コネクタ（８１）は、夫々、支持枕木（７０）上に取り付けられ、各コネクタは、頂部、底部、底部蟻継ぎ状スロット（８１１）、及び頂部蟻継ぎ状スロット（８１２）を有する。底部蟻継ぎ状スロット（８１１）は、コネクタ（８１）の底部に長手方向に形成され、対応する支持枕木（７０）の蟻継ぎ状頂部端（７１）に対応し、それを保持する。頂部蟻継ぎ状スロット（８１２）は、コネクタ（８１）の頂部に横方向に形成される。デッキパネル（８２）は、長尺状であり、対応するコネクタ（８１）の頂部蟻継ぎ状スロット（８１２）を貫通するように取り付けられ、蟻継ぎ状底部端（８２１）を有する。デッキパネル（８２）の蟻継ぎ状底部端（８２１）は、コネクタ（８１）において頂部蟻継ぎ状スロット（８１２）に対応し、そこに保持される。このように、デッキパネル（８２）が、支持枕木（７０）から外れることを防止する。
【０００３】
しかしながら、デッキパネル（８２）は、支持枕木（７０）上に直接取り付けられることができない。コネクタ（８２）を支持枕木（７０）に組み付け且つデッキパネル（８２）をコネクタ（８１）と組み付けて完全なパレットを形成することは、不便で、手間がかかる。従って、従来のパレットアセンブリは、実用性において許容できるものではい。
【０００４】
更に、相対移動が、支持枕木（７０）とコネクタ（８１）間、或いはコネクタ（８１）とデッキパネル（８１）間に存在する。このように、パレットアセンブリは、安定的或いは強固な構造を備えていない。
【考案の開示】
【考案が解決しようとする課題】
【０００５】
本考案の主な目的は、上述の問題を軽減又は除去するためのパレットアセンブリを提供することである。
【課題を解決するための手段】
【０００６】
本パレットアセンブリは、複数の支持枕木と複数の頂部デッキパネルを有する。これらの支持枕木は、間隔を置いて配置され、互いに平行であり、各支持枕木は、頂部と複数の頂部取付孔を有する。頂部取付孔は、支持枕木の頂部に形成される。頂部デッキパネルは、支持枕木の頂部に取り付けられ、支持枕木に対して垂直であり、各頂部デッキパネルは、底部と複数の取付ピンを有する。取付ピンは、頂部デッキパネルの底部から下方に突出し、夫々、頂部取付孔に確実に取り付けられる。
【０００７】
取付ピンを頂部取付孔に取り付けることによって、頂部デッキパネルは、迅速且つ便利に支持枕木に取り付けられて完全なパレットアセンブリを形成して、頂部デッキパネルと支持枕木間の相対スリップが防止される。従って、パレットアセンブリは、強固な構造を有する。
【考案を実施するための最良の形態】
【０００８】
図１及び図２を参照すると、パレットアセンブリは、複数の支持枕木（１０）、複数の頂部デッキパネル（２０）、及び複数の底部デッキパネル（３０）を備える。
【０００９】
更に、図３を参照すると、支持枕木（１０）は、間隔を置いて配置され、互いに対して平行であり、各枕木は、頂部、底部、二つの側部、二つの端部、複数の頂部取付孔（１３）、複数の底部取付孔（１４，１４’）、二つのフック切り欠きアセンブリ（１５）、長尺状スロット（１１）を有し、この枕木は、プラスチック製でもよい。頂部取付孔（１３）は、支持枕木（１０）の頂部に形成される。底部取付孔（１４、１４’）は、支持枕木（１０）の底部に形成される。底部取付孔（１４，１４’）は、複数の特徴的な底部取付孔（１４’）を含んでいても良い。
【００１０】
フック切り欠きアセンブリ（１５）は、夫々、支持枕木（１０）の二つの端部の近くに形成され、各フック切り欠きアセンブリは、二つのフック切り欠き（１５１）を有する。フック切り欠き（１５１）は、支持枕木（１０）の二つの側に形成されており、それらは互いに対して反対側にある。このように、作業者は、フック付きツールを使用してフック切り欠き（１５１）を把持し、支持枕木（１０）を引っ張り、パレットアセンブリ全体を都合よく引き出すことができる。各フック切り欠き（１５１）は、フック付きツールによって容易に把持されるように楔形状であってもよい。
【００１１】
長尺状スロット（１１）は、支持枕木（１０）の材料を節約するために支持枕木（１０）を貫通するように長手方向に形成され、二つの対向側壁と少なくとも一つのパーティションリブ（１２）を有する。この少なくとも一つのパーティションリブ（１２）は、長尺状スロット（１１）内に長手方向に形成され、長尺状スロット（１１）を複数の小さなスロットに分割し、支持枕木（１０）の構造強度を向上する。各パーティションリブ（１２）は、長尺状スロット（１１）の対向側壁に夫々形成された二つの端部を有することができる。
【００１２】
図４を更に参照すると、これらの頂部デッキパネル（２０）は長尺状であり、支持枕木（１０）の頂部に取り付けられ、支持枕木（１０）に対して垂直であり、互いに対して平行であり、実質的にプラスチックで作られる。平行な頂部デッキパネル（２０）は、積荷を積み重ねるための平面を提供し、それによって、作業者は、フォークリフトを運転してパレットアセンブリを持ち上げ、便利に積荷を目的地に運ぶことができる。各頂部デッキパネル（２０）は、一つの底部と複数の取付ピン（２３）を有する。
【００１３】
これらの取付ピン（２３）は、頂部デッキパネル（２０）の底部から下方に突出し、夫々、支持枕木（１０）の頂部の頂部取付孔（１３）に確実に取り付けられ、且つ頂部デッキパネル（２０）の底部上に一体的に形成されることができる。各取付ピン（２３）は、外壁、保持リム（２４）、及び切り込みスロット（２３１）を有する。保持リム（２４）は、取付ピン（２３）の外壁上に形成され、それから突出しており、頂部取付孔（１３）の直径よりも僅かに大きい直径を有する。このように、保持リム（２４）は、頂部取付孔（１３）内に強制的に押し込まれて頂部取付孔（１３）内に取付ピン（２３）を固定する。切り込みスロット（２３１）は、取付ピン（２３）の外壁を貫通するように長手方向に形成され、それによって、保持リム（２４）が、頂部取付孔（１３）内に容易に押し込まれることができる。
【００１４】
取付ピン（２３）を頂部取付孔（１３）内に取り付けることによって、頂部デッキパネル（２０）は、支持枕木（１０）の頂部上に容易且つ迅速に取り付けられることができる。更に、保持リム（２４）は、取付孔（１３）内に取付ピン（２３）を確実に保持してパレットアセンブリの強固な構造を確保している。更に、頂部デッキパネル（２０）が、支持枕木（１０）に対して滑ることを防止する。
【００１５】
更に図５を参照すると、これらの底部デッキパネル（３０）は長尺状であり、支持枕木（１０）の底部上に取り付けられ、支持枕木（１０）に対して垂直であり、互いに対して平行であり、実質的にプラスチックで作られる。各底部デッキパネル（３０）は、頂部、複数の位置決め孔（３６）、及び複数の取付ピン（３３，３３’）を有する。
【００１６】
位置決め孔（３６）は、底部デッキパネル（３０）を貫通するように形成され、支持枕木（１０）の底部上の特徴的な底部取付孔（１４’）と一列に並ぶ。
【００１７】
これらの取付ピン（３３，３３’）は、底部デッキパネル（３０）の頂部から上方に突出し、夫々、支持枕木（１０）の底部の底部取付孔（１４，１４’）に確実に取り付けられ、且つ複数の特徴的な取付ピン（３３’）を含むことができる。各取付ピン（３３，３３’）は、外壁、保持リム（３４）、及び切り込みスロット（３３１）を有する。保持リム（３４）は、取付ピン（３３，３３’）の外壁上に形成され、それから突出し、且つ底部取付孔（１４，１４’）の直径よりも僅かに大きい直径を有する。このように、保持リム（３４）は、強制的に底部取付孔（１４，１４’）に押し込まれて、取付ピン（３３，３３’）を取付孔（１４，１４’）に固定する。切り込みスロット（３３１）は、取付ピン（３３，３３’）の外壁を貫通するように長手方向に形成され、それによって、保持リム（３４）は、底部取付孔（１４，１４’）に容易に押し込まれることができる。
【００１８】
取付ピン（３３，３３’）を底部取付孔（１４，１４’）に取り付けることによって、底部デッキパネル（３０）は、支持枕木（１０）の底部上に容易且つ迅速に取り付けられることができる。更に、保持リム（３４）は、底部取付孔（１４，１４’）内に確実に保持して、パレットアセンブリの構造を更に向上する。また、底部デッキパネル（３０）が、支持枕木（１０）に対して滑ることを防止する。更に、パレットアセンブリが上下逆さまにされた時、積荷を底部デッキパネル（３０）上に積むことができる。
【００１９】
これらの特徴的な取付ピン（３３’）は、夫々、底部デッキパネル（３０）の位置決め孔（３６）を貫通するように取り付けられ、支持枕木（１０）の底部の特徴的な底部取付孔（１４’）と夫々一列となり、且つゴムで作られることができる。各特徴的な取付ピン（３３’）は、頂部端、底部表面、及び複数の横滑り防止突起（３３２）を有する。特徴的な取付ピン（３３’）の頂部端は、底部デッキパネル（３０）の頂部から上方に突出し、対応する特徴的な底部取付孔（１４’）内に延出する。特徴的な取付ピン（３３’）の底表面は、底部デッキパネル（３０）の底部と同一平面となる。横滑り防止突起（３３２）は、地面に接触し十分な抵抗を提供して底部デッキパネル（３０）と地面間の相対的滑りを防止するために、特徴的な取付ピン（３３’）の底表面上に形成され且つそれから突出する。
【図面の簡単な説明】
【００２０】
【図１】本考案に従うパレットアセンブリの第１の実施形態の斜視図である。
【図２】本考案に従うパレットアセンブリの第２の実施形態の斜視図である。
【図３】図２のパレットアセンブリの拡大分解斜視図である。
【図４】図１のパレットアセンブリの拡大横断面側面図である。
【図５】図２のパレットアセンブリの拡大横断面側面図である。
【図６】従来の技術に従う従来のパレットアセンブリの斜視図である。
【図７】図６のパレットアセンブリの拡大分解斜視図である。
【図１】
0003132626.tif 000003
【図２】
0003132626.tif 000004
【図３】
0003132626.tif 000005
【図４】
0003132626.tif 000006
【図５】
0003132626.tif 000007
【図６】
0003132626.tif 000008
【図７】
0003132626.tif 000009